(57)【要約】    【課題】  電力系統とその負荷系統との間に設置される瞬時電圧降下対策装置を構成するリアクトルによる力率低下と負荷系統の電圧低下とを補整する。    【解決手段】  瞬時電圧降下対策装置２０をスイッチ２１，リアクトル２２，並列インバータ２４などから構成し、電力系統１が健全時には並列インバータ２３から負荷機器２の両端電圧を所定の値にする補償電流Ｉｃｏｎｖを流入させることで、負荷機器２の両端電圧を所定の値に維持しつつ、電力系統１から見た力率を改善する。その後、電力系統１が停電状態に陥ると、負荷機器２に対して並列インバータ２３から電力を供給する。このとき、リアクトル２２に蓄えられているエネルギーが負荷機器２の両端電圧を過渡的にもほぼ正常な状態に維持するように機能する。【選択図】        図１
2006166526.tif 000002
【特許請求の範囲】
【請求項１】
スイッチと瞬時電圧降下補償用のリアクトルと並列インバータとを備え、
商用電源などの電力系統とその負荷機器との間に、前記スイッチと前記リアクトルとを直列接続してなる回路の両端を接続するとともに、前記並列インバータを該インバータの出力側に備える連系リアクトルまたは変圧器もしくはその双方を介して前記負荷機器に接続し、
前記電力系統が健全時には、前記負荷機器の両端電圧と所定の出力電圧設定値との偏差を零にする調節演算結果から導出された補償電流指令値としての無効電流指令値に基づいて前記並列インバータを動作させることを特徴とする瞬時電圧降下対策装置。
【請求項２】
スイッチと瞬時電圧降下補償用のリアクトルと並列インバータとを備え、
商用電源などの電力系統とその負荷機器との間に、前記スイッチと前記リアクトルとを直列接続してなる回路の両端を接続するとともに、前記並列インバータを該インバータの出力側に備える連系リアクトルまたは変圧器もしくはその双方を介して前記負荷機器に接続し、
前記電力系統が健全時には、前記負荷機器への電流を有効電流成分と無効電流成分とに分解したそれぞれの成分から該負荷機器の両端電圧が所望の値を維持するために導出された補償電流指令値に基づいて前記並列インバータを動作させることを特徴とする瞬時電圧降下対策装置。
【請求項３】
スイッチと瞬時電圧降下補償用のリアクトルと並列インバータとを備え、
商用電源などの電力系統とその負荷機器との間に、前記スイッチと前記リアクトルとを直列接続してなる回路の両端を接続するとともに、前記並列インバータを該インバータの出力側に備える連系リアクトルまたは変圧器もしくはその双方を介して前記負荷機器に接続し、
前記電力系統が健全時には、前記負荷機器の両端電圧と所定の出力電圧設定値との偏差を零にする調節演算結果から導出された補償電流指令値としての無効電流指令値と、該負荷機器への電流を有効電流成分と無効電流成分とに分解したそれぞれの成分から該負荷機器の両端電圧が所望の値を維持するために導出された補償電流指令値とを加算してなる新たな補償電流指令値に基づいて前記並列インバータを動作させることを特徴とする瞬時電圧降下対策装置。
【請求項４】
請求項１乃至請求項３の何れかに記載の瞬時電圧降下対策装置において、
前記並列インバータとの負荷機器との間に進相コンデンサを付加したことを特徴とする瞬時電圧降下対策装置。
【請求項５】
請求項１乃至請求項４の何れかに記載の瞬時電圧降下対策装置において、
前記電力系統に瞬時電圧降下が発生したときには、前記スイッチを閉路状態から開路状態に移行させるとともに、前記並列インバータを前記負荷機器への電源として動作させることを特徴とする瞬時電圧降下対策装置。
【発明の詳細な説明】
【技術分野】
【０００１】
この発明は、商用電源などの電力系統とその負荷機器との間に設置される瞬時電圧降下対策装置に関する。
【背景技術】
【０００２】
近年、パワーエレクトロニクス機器，コンピュータ機器，電子機器など、その電源としての電力系統の電圧変動の影響を受け易い負荷機器が増大していることから、前記電力系統が特に高圧系統の場合、その負荷機器には自家発電設備などのバックアップ電源を設置し、さらに、前記電力系統と負荷機器との間に、この電力系統の停電や電圧低下時に該電力系統から負荷機器を切り離す瞬時電圧降下対策装置が設けられている。
【０００３】
図１１は、この種の瞬時電圧低下対策装置の従来例を示す回路構成図であり、下記非特許文献１に記載されている回路と同様構成のものである。
【０００４】
すなわち図１１において、１は商用電源などの電力系統、１０は電力系統１と負荷機器２，自家発電設備３などからなる負荷系統との間に挿設された瞬時電圧降下対策装置であり、この瞬時電圧降下対策装置１０には電力系統１側の遮断器１１と、リアクトル１２と、サイリスタスイッチ（以下、サイリスタＳＷとも称する）１３と、前記負荷系統側の遮断器１４と、補助変圧器１５と、補助変圧器１５で検知した電力系統１の電圧値に基づいてサイリスタＳＷ１３の動作を制御するサイリスタＳＷ制御回路１６とを備えている。
【０００５】
図１１に示した従来の瞬時電圧低下対策装置の動作を、図１２に示したその動作波形図を参照しつつ、以下に説明する。
【０００６】
先ず、図１２に示す時刻ｔ0 直前までは電力系統１の電圧Ｖｓが健全なため、閉路している遮断器１１，リアクトル１２，サイリスタＳＷ制御回路１６からのオン指令信号により導通状態にあるサイリスタＳＷ１３，閉路している遮断器１４それぞれを介して電力系統１から負荷機器２に電流Ｉｓが流れている。
【０００７】
次に時刻ｔ0 で、電力系統１が何らかの要因で停電状態に陥ると、この時から電力系統１の電圧Ｖｓが零の状態となるが、リアクトル１２に蓄えられているエネルギーによりリアクトル１２の両端電圧Ｖｒが時刻ｔ0 より図示のように変化し、この電圧Ｖｒにより数ミリ秒程度の期間は負荷機器２の両端電圧Ｖｌｏａｄをほぼ正常な状態に維持するための電流Ｉｓが流れ続ける。
【０００８】
また、上述の電圧Ｖｓが零の状態は補助変圧器１５を介したサイリスタＳＷ制御回路１６が検知し、サイリスタＳＷ１３へオフ指令信号を送出することにより、時刻ｔ1 で電流Ｉｓが零となって、サイリスタＳＷ１３が遮断状態になり、この遮断状態になったサイリスタＳＷ１３により、以後は電力系統１が負荷機器２，自家発電設備３などからなる負荷系統から切り離され、自家発電設備３より負荷機器２に電力が供給される状態となる。
【０００９】
この瞬時電圧低下対策装置１０において、サイリスタＳＷ１３は電力系統１の電圧Ｖｓの半サイクル以内の高速遮断が行えるので、遮断器１１，遮断器１４が閉路状態から、電力系統１の停電状態に陥った時点直後に発せられる遮断指令により開路状態に移行するのに時間が要しても、この時間が前記負荷系統に影響を与えることはない。
【特許文献１】特開２０００−２８７４５８号公報（第５頁，図１など）。
【非特許文献１】菅原他，「サイリスタスイッチによる瞬時停電対策装置」，産業電力電気応用研究会資料，ＩＥＡ−０１−６，２００１年３月１６日，社団法人電気学会。
【発明の開示】
【発明が解決しようとする課題】
【００１０】
図１１に示した瞬時電圧降下対策装置１０において、上述の動作を行わせるために、例えば、リアクトル１２のパーセントインピーダンス（％Ｚ）を３０％に設定し、負荷機器２を純抵抗負荷とすると、図１２の動作波形図および図１３のベクトル図に示すように、電力系統１の電圧Ｖｓが定格電圧（１００％），電流Ｉｓが定格電流（１００％）のときにはリアクトル１２の両端電圧Ｖｓが３０％となり、このときの電圧Ｖｓと電流Ｉｓとの位相差が１７°（電気角）となり、従って、電力系統１から見た力率は約０．９６、負荷機器２の両端電圧Ｖｌｏａｄは９５％となり、その結果、電力系統１が健全時におけるリアクトル１２に起因した電力系統１から見た力率低下と負荷機器２の両端電圧の低下とを招くという問題点があった。
【００１１】
上記問題点を解消するために、例えば、上記特許文献１に開示されている回路例では、図１１におけるリアクトル１２の代わりに直列インバータを備え、この直列インバータにより電力系統１の電圧低下を補償するようにしているが、この直列インバータは負荷機器への有効電力の一部を分担することからをその出力容量が大きくなり、さらに、広い出力電圧範囲で高速応答が要求され、その結果、この瞬時電圧降下対策装置の大型化と価格上昇とを招くという新たな問題点があった。
【００１２】
この発明の目的は上記問題点を解消した瞬時電圧降下対策装置を提供することにある。
【課題を解決するための手段】
【００１３】
この第１の発明の瞬時電圧降下対策装置にはスイッチと瞬時電圧降下補償用のリアクトルと並列インバータとを備え、商用電源などの電力系統とその負荷機器との間に、前記スイッチと前記リアクトルとを直列接続してなる回路の両端を接続するとともに、前記並列インバータを該インバータの出力側に備える連系リアクトルなどを介して前記負荷機器に接続し、前記電力系統が健全時には、前記負荷機器の両端電圧と所定の出力電圧設定値との偏差を零にする調節演算結果から導出された補償電流指令値としての無効電流指令値に基づいて前記並列インバータを動作させることを特徴とする。
【００１４】
第２の発明の瞬時電圧降下対策装置にはスイッチと瞬時電圧降下補償用のリアクトルと並列インバータとを備え、商用電源などの電力系統とその負荷機器との間に、前記スイッチと前記リアクトルとを直列接続してなる回路の両端を接続するとともに、前記並列インバータを該インバータの出力側に備える連系リアクトルなどを介して前記負荷機器に接続し、前記電力系統が健全時には、前記負荷機器への電流を有効電流成分と無効電流成分とに分解したそれぞれの成分から該負荷機器の両端電圧が所望の値を維持するために導出された補償電流指令値に基づいて前記並列インバータを動作させることを特徴とする。
【００１５】
第３の発明の瞬時電圧降下対策装置にはスイッチと瞬時電圧降下補償用のリアクトルと並列インバータとを備え、商用電源などの電力系統とその負荷機器との間に、前記スイッチと前記リアクトルとを直列接続してなる回路の両端を接続するとともに、前記並列インバータを該インバータの出力側に備える連系リアクトルなどを介して前記負荷機器に接続し、前記電力系統が健全時には、前記負荷機器の両端電圧と所定の出力電圧設定値との偏差を零にする調節演算結果から導出された補償電流指令値としての無効電流指令値と、該負荷機器への電流を有効電流成分と無効電流成分とに分解したそれぞれの成分から該負荷機器の両端電圧が所望の値を維持するために導出された補償電流指令値とを加算してなる新たな補償電流指令値に基づいて前記並列インバータを動作させることを特徴とする。
【００１６】
第４の発明は前記第１〜第３の発明の瞬時電圧降下対策装置において、前記並列インバータとの負荷機器との間に進相コンデンサを付加したことを特徴とする。
【００１７】
第５の発明は前記第１〜第４の発明の瞬時電圧降下対策装置において、
前記電力系統に瞬時電圧降下が発生したときには、前記スイッチを閉路状態から開路状態に移行させるとともに、前記並列インバータを前記負荷機器への電源として動作させることを特徴とする。
【発明の効果】
【００１８】
この発明の瞬時電圧降下対策装置によれば、後述の如く、前記並列インバータにより前記リアクトルに起因する電力系統から見た力率の低下と負荷機器への電圧低下が解消されるので、安定した好適な電力を負荷機器に供給することができる。
【発明を実施するための最良の形態】
【００１９】
図１はこの発明の第１の実施の形態を示す瞬時電圧降下対策装置の回路構成図であり、この図において、図１１に示した従来例回路構成と同一機能を有するものには同一符号を付している。
【００２０】
すなわち図１に示した瞬時電圧降下対策装置２０には、例えばサイリスタＳＷなど高速遮断機能を有するスイッチ２１と、リアクトル１２と同一仕様で製作されるリアクトル２２と、並列インバータ２３〜２５の内の何れか１台とを備えている。
【００２１】
この瞬時電圧降下対策装置２０の動作を、図２に示す動作ベクトル図を参照しつつ、以下に説明する。
【００２２】
図２（イ）は瞬時電圧低下対策装置２０における前記並列インバータを動作させないときのベクトル図を示し、このときには電力系統１から瞬時電圧低下対策装置２０に流れる電流Ｉｓと、瞬時電圧低下対策装置２０から負荷機器２への電流ＩLとが等しく、これらの電流は電力系統１の電圧Ｖｓに対して遅れ位相となっている。その結果、負荷機器２の両端電圧Ｖｌｏａｄが図示の如く電圧Ｖｓに対して低下した値となっている。
【００２３】
一方、図２（ロ）は瞬時電圧低下対策装置２０における前記並列インバータを動作させたときのベクトル図を示し、このときには前記並列インバータから図示の如き位相，振幅の補償電流Ｉｃｏｎｖを注入することにより、電力系統１の電圧Ｖｓと負荷機器２の両端電圧Ｖｌｏａｄとがほぼ等しくでき、電力系統１から見た力率も改善することができる。
【００２４】
図３はこの発明の第２の実施の形態を示す瞬時電圧降下対策装置の回路構成図であり、この図において、図１に示した回路構成と同一機能を有するものには同一符号を付している。すなわち、図３に示した瞬時電圧降下対策装置３０が図１に示した瞬時電圧降下対策装置２０と異なる点は、進相コンデンサ３１を備えていることである。
【００２５】
一般に負荷機器２は遅れ力率であり、遅れの無効電力を取るために負荷機器２の両端電圧が上述の如く低下する。これに対して前記並列インバータからは進みの無効電力を出力するが、この瞬時電圧降下対策装置３０では前以って負荷機器２が取る遅れの無効電力量を想定し、その全て或いは一部を補償する容量の進相コンデンサ３１を設置している。従って、負荷機器２の容量が軽くなり、進相コンデンサ３１が取る進みの無効電力が過剰になる場合には、前記並列インバータがこれを打ち消すように遅れの無効電力を取るように動作すればよい。その結果、前記並列インバータが出力すべき平均無効電力が削減され、運転効率が向上し、前記並列インバータの容量を低減することができる。
【００２６】
図４はこの発明の第１の実施例を示す瞬時電圧降下対策装置の回路構成図であり、この瞬時電圧降下対策装置２０にはスイッチ２１と、リアクトル２２と、インバータ回路２３ａ，連系リアクトル２３ｂ，直流コンデンサ２３ｃ，制御回路２３０からなる並列インバータ２３と、補助変圧器２６とを備えている。ここで、連系リアクトル２３ｂは相当の漏れインダクタンスを持つ変圧器でも良く、更に前記変圧器とリアクトルの双方を組み合わせて用いても良い。
【００２７】
図５は図４に示した制御回路２３０の詳細回路構成図であり、この制御回路２３０には負荷機器２の両端電圧を設定する出力電圧設定器２３１と、負荷機器２の両端電圧を検出する補助変圧器２６から得られる交流電圧を対応した直流電圧に変換する電圧検出器２３２と、出力電圧設定器２３１からの設定値と電圧検出器２３２からの検出値との偏差を求める加算演算器２３３と、この偏差を零にする調節演算を行う電圧調節器２３４と、この調節演算結果に基づいて後述の補償電流指令値Ｉｃｏｎｖ*（交流量）としての無効電流指令値を生成する無効電流指令演算器２３５とを備えている。すなわち、前記調節演算結果が負荷機器２の両端電圧を増大させる極性の場合には、補助変圧器２６からの交流電圧の位相に対して９０°進み位相でその振幅はこの調節演算結果の絶対値に比例する値（交流量）を前記無効電流指令値とし、また、前記調節演算結果が負荷機器２の両端電圧を減少させる極性の場合には、補助変圧器２６からの交流電圧の位相に対して９０°遅れ位相でその振幅はこの調節演算結果の絶対値に比例する値（交流量）を前記無効電流指令値としている。
【００２８】
以下に、図４に示した瞬時電圧降下対策装置２０の動作を説明する。
【００２９】
すなわち図４に示した並列インバータ２３は、電力系統１が健全時にはリアクトル２２を介した電源系統１と連系運転しており、制御回路２３０からの上述の如き補償電流指令値Ｉｃｏｎｖ*に基づいた補償電流Ｉｃｏｎｖを注入することにより、負荷機器２の両端電圧を出力電圧設定器２３１の設定値に保ちながら、電力系統１から見た力率も改善するとともに、連系リアクトル２３ｂとインバータ回路２３ａとを介して直流コンデンサ２３ｃに直流電圧を充電しつつ待機している。そして、電力系統１が何らかの要因で停電状態に陥ると、閉路状態のスイッチ２１を開路状態に移行させるとともに、負荷機器２に対して直流コンデンサ２３ｃに充電されていた電力を供給する。このとき、スイッチ２１が実際に開路するまでに時間遅れが生ずるが、この時間遅れの間は、リアクトル２２に蓄えられているエネルギーが負荷機器２の両端電圧をほぼ正常な状態に維持するように機能するために、負荷機器２の両端電圧の低下が抑制される。
【００３０】
なお、連系リアクトル２３ｂに高調波抑制機能を持つ必要があれば、これと並列にフィルタコンデンサを追加装備することでその要求を満たすことができる。
【００３１】
図６はこの発明の第２の実施例を示す瞬時電圧降下対策装置の回路構成図であり、この瞬時電圧降下対策装置２０にはスイッチ２１と、リアクトル２２と、インバータ回路２３ａ，連系リアクトル２３ｂ，直流コンデンサ２３ｃ，制御回路２４０からなる並列インバータ２４、または、インバータ回路２３ａ，連系リアクトル２３ｂ，直流コンデンサ２３ｃ，制御回路２５０からなる並列インバータ２５の何れか１台と、補助変圧器２６と、ＣＴ（計器用変成器）２７とを備えている。
【００３２】
図７は図６に示した制御回路２４０の詳細回路構成図であり、この制御回路２４０には負荷機器２の両端電圧を検出する補助変圧器２６から得られる交流電圧の位相に対してＣＴ２７から得られる負荷機器２への電流を有無効電流成分Ｉｑと有効電流成分Ｉｐとに分解する有効・無効電流演算器２４１と、この有効電流成分Ｉｐの変動に対する負荷機器２の両端電圧の変動を抑制するために、下記数１式に演算を行い、この演算結果を有効電流補償成分Ｉｐ２として出力する演算器２４２と、この有効電流補償成分Ｉｐ２と前記無効電流成分Ｉｑとを補助変圧器２６から得られる交流電圧の位相を基準にした補償電流指令値Ｉｃｏｎｖ*（交流量）を導出する補償電流指令演算器２４３とを備えている。
［数１］
Ｉｐ２＝｛１−［１−（Ｘｒ・Ｉｐ）2 ］1/2 ｝／Ｘｒ
ここで、電力系統１の電圧Ｖｓは定格値（＝１）とし、Ｘｒはリアクトル２２のパーセントインピーダンス（％Ｚ）を示している。
【００３３】
すなわち、補償電流指令値演算器２４３では前記無効電流成分Ｉｑの全てを補助変圧器２６からの交流電圧の位相に対して９０°進み位相でその振幅は前記Ｉｑの値に比例する値（交流量）と、補助変圧器２６からの交流電圧の位相に対して逆位相でその振幅は前記Ｉｑ２の値に比例する値（交流量）とを加算した交流量を補償電流指令値Ｉｃｏｎｖ*として出力している。
【００３４】
以下に、図６に示した瞬時電圧降下対策装置２０の動作を説明する。
【００３５】
すなわち図６に示した並列インバータ２４は、電力系統１が健全時にはリアクトル２２を介した電源系統１と連系運転しており、制御回路２４０からの上述の如き補償電流指令値Ｉｃｏｎｖ*に基づいた補償電流Ｉｃｏｎｖを注入することにより、負荷機器２の両端電圧をほぼ定格値に保ちながらその変動を抑制し、電力系統１から見た力率も改善するとともに、連系リアクトル２３ｂとインバータ回路２３ａとを介して直流コンデンサ２３ｃに直流電圧を充電しつつ待機している。そして、電力系統１が何らかの要因で停電状態に陥ると、閉路状態のスイッチ２１を開路状態に移行させるとともに、負荷機器２に対して直流コンデンサ２３ｃに充電されていた電力を供給する。このとき、スイッチ２１が実際に開路するまでに時間遅れが生ずるが、この時間遅れの間は、リアクトル２２に蓄えられているエネルギーが負荷機器２の両端電圧をほぼ正常な状態に維持するように機能するために、負荷機器２の両端電圧の低下が抑制される。
【００３６】
なお、連系リアクトル２３ｂに高調波抑制機能を持つ必要があれば、これと並列にフィルタコンデンサを追加装備することでその要求を満たすことができる。
【００３７】
図８は図６に示した制御回路２５０の詳細回路構成図であり、この制御回路２５０には上述の図５に示した制御回路２３０と図７に示した制御回路２４０と、加算演算器２５１とを備えている。
【００３８】
従って、図６に示した並列インバータ２５は、電力系統１が健全時にはリアクトル２２を介した電源系統１と連系運転しており、制御回路２５０からの制御回路２３０，制御回路２４０による上述の如き補償電流指令値それぞれを加算した新たな補償電流指令値Ｉｃｏｎｖ*に基づいた補償電流Ｉｃｏｎｖを注入することにより、負荷機器２の両端電圧を出力電圧設定器２３１の設定値に保ちながらその変動を抑制し、電力系統１から見た力率も改善するとともに、連系リアクトル２３ｂとインバータ回路２３ａとを介して直流コンデンサ２３ｃに直流電圧を充電しつつ待機している。そして、電力系統１が何らかの要因で停電状態に陥ると、閉路状態のスイッチ２１を開路状態に移行させるとともに、負荷機器２に対して直流コンデンサ２３ｃに充電されていた電力を供給する。このとき、スイッチ２１が実際に開路するまでに時間遅れが生ずるが、この時間遅れの間は、リアクトル２２に蓄えられているエネルギーが負荷機器２の両端電圧をほぼ正常な状態に維持するように機能するために、負荷機器２の両端電圧の低下が抑制される。
【００３９】
なお、連系リアクトル２３ｂに高調波抑制機能を持つ必要があれば、これと並列にフィルタコンデンサを追加装備することでその要求を満たすことができる。
【００４０】
図９はこの発明の第３の実施例を示す瞬時電圧降下対策装置の回路構成図であり、この瞬時電圧降下対策装置４０にはスイッチ２１と、リアクトル２２と、並列インバータ２３と、補助変圧器２６と、直流電源４１とを備えている。
【００４１】
すなわち、この瞬時電圧降下対策装置４０が図４に示した並列インバータ２３などからなる瞬時電圧低下対策装置２０と異なる点は、インバータ回路２３ａの直流側に蓄電池などからなる直流電源４１を備えていることである。
【００４２】
この直流電源４１により、電力系統１が何らかの要因で停電状態に陥った後に、並列インバータ２３から負荷機器２に対して電力を供給する期間をより長くすることができる。
【００４３】
図１０はこの発明の第４の実施例を示す瞬時電圧降下対策装置の回路構成図であり、この瞬時電圧降下対策装置５０にはスイッチ２１と、リアクトル２２と、並列インバータ２４と、補助変圧器２６と、ＣＴ２７と、直流電源４１とを備えている。
【００４４】
すなわち、この瞬時電圧降下対策装置５０が図６に示した並列インバータ２４などからなる瞬時電圧低下対策装置２０と異なる点は、インバータ回路２３ａの直流側に蓄電池などからなる直流電源４１を備えていることである。
【００４５】
この直流電源４１により、電力系統１が何らかの要因で停電状態に陥った後に、並列インバータ２４から負荷機器２に対して電力を供給する期間をより長くすることができる。
【図面の簡単な説明】
【００４６】
【図１】この発明の第１の実施の形態を示す瞬時電圧降下対策装置の回路構成図
【図２】図１の動作を説明するベクトル図
【図３】この発明の第２の実施の形態を示す瞬時電圧降下対策装置の回路構成図
【図４】この発明の第１の実施例を示す瞬時電圧降下対策装置の回路構成図
【図５】図４の部分詳細回路構成図
【図６】この発明の第２の実施例を示す瞬時電圧降下対策装置の回路構成図
【図７】図６の部分詳細回路構成図
【図８】図６の部分詳細回路構成図
【図９】この発明の第３の実施例を示す瞬時電圧降下対策装置の回路構成図
【図１０】この発明の第４の実施例を示す瞬時電圧降下対策装置の回路構成図
【図１１】従来例を示す瞬時電圧降下対策装置の回路構成図
【図１２】図１１の動作を説明する波形図
【図１３】図１１の動作を説明するベクトル図
【符号の説明】
【００４７】
１…電力系統、２…負荷機器、３…自家発電設備、１０…瞬時電圧降下対策装置、１１…遮断器、１２…リアクトル、１３…サイリスタスイッチ、１４…遮断器、１５…補助変圧器、１６…サイリスタＳＷ制御回路、２０，３０，４０，５０…瞬時電圧低下対策装置、２１…スイッチ、２２…リアクトル、２３〜２５…並列インバータ、２３ａ…インバータ主回路、２３ｂ…連系リアクトル、２３ｃ…コンデンサ、２６…補助変圧器、２７…ＣＴ、３１…進相コンデンサ、４１…直流電源、２３０，２４０，２５０…制御回路。
【図１】
2006166526.tif 000003
【図２】
2006166526.tif 000004
【図３】
2006166526.tif 000005
【図４】
2006166526.tif 000006
【図５】
2006166526.tif 000007
【図６】
2006166526.tif 000008
【図７】
2006166526.tif 000009
【図８】
2006166526.tif 000010
【図９】
2006166526.tif 000011
【図１０】
2006166526.tif 000012
【図１１】
2006166526.tif 000013
【図１２】
2006166526.tif 000014
【図１３】
2006166526.tif 000015